(57)【要約】  本発明は、複数のセルと、上記セルを収容かつ囲むハウジング（３）と、熱伝導流体の循環による上記セルの温度調整手段（５）とを主に含むバッテリユニット（１）を目的とする。バッテリユニット（１）は、ハウジング（３）が、セルが載せられる少なくとも１つの底部領域の位置に上記セルと熱伝導流体との熱交換を行う少なくとも１つ、好ましくは複数の熱交換領域を含み、上記１つまたは複数の熱交換領域が上記ハウジング（３）の構造、好ましくはこのハウジングの壁に組み込まれていることを特徴とする。
2021521620.tif 000002
【特許請求の範囲】
【請求項１】
特にハイブリッドおよび／または電気自動車用のバッテリユニット（１）であって、主に、一方では、物理的および／または電気的に複数のブロックまたはモジュール（２’）に必要に応じてまとめられた複数のセル（２）またはバッテリ素子を含み、他方では、前記セルまたは素子（２）を収容かつ囲むハウジング（３）を含み、さらに、熱伝導流体（ＦＣ）の循環による前記セルまたは素子（２）の温度調整手段（４、５）を含むバッテリユニットにおいて、
ハウジング（３）は、セル（２）が載せられる少なくとも１つの底部領域（６）の位置に前記セル（２）と熱伝導流体（ＦＣ）との熱交換を行う少なくとも１つの、好ましくは複数の熱交換領域（６’）を含み、前記１つまたは複数の熱交換領域（６’）が、前記ハウジング（３）の構造、好ましくはこのハウジングの壁（３’）に組み込まれ、
前記または各熱交換領域（６’）が、一方では、セル（２）と接し、他方では、熱伝導流体（ＦＣ）と接する高熱伝導率の表面素子（７）を含み、
高熱伝導率の表面素子（７）が、ハウジング（３）にはめ込まれる素子であり、低熱伝導率の表面素子（９）と液密に結合された、金属プレートまたは同様の剛性かつ良好な熱伝導性材料から構成され、前記または各熱交換領域（６’）の低熱伝導率の表面素子（９）の各々が、ハウジング（３）の一部をなし、ハウジングの壁（３’、１０、１１’）の一部分を有利には構成する
ことを特徴とする、バッテリユニット（１）。
【請求項２】
前記または各熱交換領域（６’）が、セル（２）と直接接する高熱伝導率の表面素子（７）と、外部環境と接する低熱伝導率の表面素子（９）との間に画定された、熱伝導流体（ＦＣ）の循環容積（８）を含み、この循環容積が、ハウジング（３）の底壁（１０）の一部分から構成され、前記または各循環容積（８）が、考慮された２個の素子（７、９）の間に配置された密封手段（１１）により横方向または周方向に画定され、漏れ経路（１２）が、該当する表面素子（９）の周囲に設けられて、対象とされる容積（８）から場合によっては漏れるあらゆる熱伝導流体（ＦＣ）を外部に排出可能にすることを特徴とする、請求項１に記載のバッテリユニット。
【請求項３】
前記または各漏れ経路（１２）がハウジング（３）の底壁（１０）に形成され、該当する循環容積（８）の周辺密封手段（１１）の周囲に連続して延在し、この循環容積が、浅い平面チャンバに好ましくは対応することを特徴とする、請求項２に記載のバッテリユニット。
【請求項４】
前記または各漏れ経路（１２）が、底壁（１０）に形成された溝または凹部（１２’）を含み、この溝または凹部が、考慮された循環容積（８）の周辺密封手段（１１）を中心として外側かつ周方向に延在し、有利には前記手段（１１）の輪郭と係合し、ハウジングの底壁（１０）を貫通する少なくとも１つ、好ましくは複数の穴（１２”）が、前記溝（１２’）の底に設けられることを特徴とする、請求項２または３に記載のバッテリユニット。
【請求項５】
プレート状の高熱伝導率の表面素子（７）の各々が、一続きの、または一体成形によりはめ込まれてハウジング（３）の底壁（１０）と結合された、周辺フレーム（１３）を形成する縁を含み、表面素子（７）に向かい合った底壁部分（１０）が、低熱伝導率の表面素子（９）を構成し、フレーム（１３）と底壁（１０）との結合領域（１４）、たとえば溶接による結合領域が、該当する循環容積（８）の周辺密封手段（１１）の周囲に、この手段から離れて延在することを特徴とする、請求項２から４のいずれか一項に記載のバッテリユニット。
【請求項６】
各熱交換領域（６’）の漏れ経路（１２）が、結合領域（１４）と周辺密封手段（１１）との間に延在することを特徴とする、請求項５に記載のバッテリユニット。
【請求項７】
様々な熱交換領域（６’）の少なくとも幾つか、または全ての漏れ経路（１２）が、排出穴（１２”）を備えたハウジング（３）の底壁（１０）の単一領域または単一地点に向けて収束することを特徴とする、請求項２から６のいずれか一項に記載のバッテリユニット。
【請求項８】
複数のまたは全ての漏れ経路（１２）から出る流れの収束領域または収束地点が、熱伝導流体（ＦＣ）の存在検知器を備えることを特徴とする、請求項７に記載のバッテリユニット。
【請求項９】
密封手段（１１）は、２個の表面素子（７、９）に互いに結合される周辺縁の間に圧縮された状態で存在する密封構造（１４）からなり、この密封構造（１４）は、底壁（１０）の溝（１１’）に好ましくは収容されることを特徴とする、請求項２から８のいずれか一項に記載のバッテリユニット。
【請求項１０】
表面素子（９）の各々は、熱伝導性のプレート状の表面素子（７）がほぼ載せられる立ち上がり縁（９”）により横方向に画定された、ハウジング（３）の底壁（１０）の窪み領域またはへこみに対応し、密封手段（１１）が間に配置されることを特徴とする、請求項１から９のいずれか一項に記載のバッテリユニット。
【請求項１１】
プレート状の高熱伝導率表面素子（７）の各々が、ハウジング（３）の底壁（１０）と、一方では、周辺で結合領域（１４）の位置で好ましくは連続して、たとえば溶接により結合され、他方では、前記プレート（７）の表面の内部に配置された少なくとも１つの結合領域（１５）の位置で、有利には、前記プレート（７）の表面に好ましくは規則正しく配分された複数の結合領域（１５）の位置で結合されることを特徴とする、請求項１から１０のいずれか一項に記載のバッテリユニット。
【請求項１２】
プレート状の高熱伝導率表面素子（７）の各々が、少なくとも１つの結合領域（１５）の位置、好ましくは、規則正しく配分された複数の結合領域（１５）の位置で、低熱伝導率の表面素子（９）を構成するハウジング（３）の底壁部分（１０）と結合され、結合領域（１５）の各々が、金属プレートの形態で表面素子（７）から壁部分（１０）に向かって突出する局部的な変形部（１６）からなり、前記変形部（１６）は、たとえばレーザ溶接結合のために前記底壁部分（１０）の材料と相容れる材料（１６’）により一体成形されることを特徴とする、請求項１から１１のいずれか一項に記載のバッテリユニット。
【請求項１３】
有利には長方形で平面である熱交換領域（６’）の熱伝導流体（ＦＣ）の循環容積（８）を互いの間に画定する向かい合った２個の表面素子（７、９）の一方が、前記循環容積（８）をＵ字形、Ｓ字形または蛇行した形状の循環回路（４’）の基本部分の２つの分枝に分割するリブ（１７）を有することを特徴とする、請求項１から１２のいずれか一項に記載のバッテリユニット。
【請求項１４】
１つまたは複数の様々な熱交換領域（６’）の循環容積（８）が、ハウジング（３）の構造に組み込まれた熱伝導流体（ＦＣ）の１つまたは複数の循環回路（４）の複数部分を形成し、前記回路部分（４）が、直列に流体接続され、あるいは接続されず、かつ、熱伝導流体流体（ＦＣ）の供給／排出回路（５）の一部をなす分配／収集管（５’、５”）に接続され、これらの回路（４、５）がセル（２）の温度調整手段を構成することを特徴とする、請求項１から１３のいずれか一項に記載のバッテリユニット。
【請求項１５】
ハウジング（３）がプラスチック材料で出来ており、このハウジングが、好ましくはねじ止めにより周辺で互いに組み立てられた、底壁（１０）を備えた下部トレイ（１８）と上部カバー（１９）を含み、必要に応じて接触帯（３”）の位置に密封構造が配置されることを特徴とする、請求項１から１４のいずれか一項に記載のバッテリユニット。
【請求項１６】
カバー（１９）が、少なくとも幾つかのセル、好ましくは全てのセル（２）と熱伝導流体（ＦＣ）との熱交換を行う１つまたは複数の熱交換領域（６’）をその構造内に同様に含み、カバー（１９）の前記または各熱交換領域（６’）が熱伝導流体（ＦＣ）の循環容積（８）を含み、この熱交換領域が、低熱伝導率の表面素子（９）を構成するカバー（１９）の壁（１９’）の形成部または補強部と、セル（２）、たとえばモジュール（２’）の全てのセル（２）に接するプレート状の高熱伝導率の表面素子（７）との協働によって構成されることを特徴とする、請求項１５に記載のバッテリユニット。
【請求項１７】
可撓性かつ熱伝導性のプレートまたはシート（２６）が、一方では、カバー（１９）および／またはトレイ（１８）の底部に組み込まれた１つまたは複数の熱交換領域（６’）の１つまたは複数の高熱伝導率表面素子（７）と、他方では、向かい合ったモジュール（２’）のセル（２）の該当する面との間に配置されることを特徴とする、請求項１５または１６に記載のバッテリユニット。
【請求項１８】
各熱交換領域（６’）が、Ｕ字形または蛇行した形状の回路部分を形成する熱伝導流体（ＦＣ）の循環容積（８）を含み、その２個の分枝の２つの自由端が、熱伝導流体（ＦＣ）の供給／排出回路（５）の一部をなす分配／収集ライン（５、５”）に流体接続されることを特徴とする、請求項１から１７のいずれか一項に記載のバッテリユニット。
【請求項１９】
温度調整手段（４、５）が、熱伝導流体流体（ＬＣ）の１つまたは複数の供給／排出回路を構成する分配管（５’）／収集管（５”）を含み、これらの管（５’、５”）は、ハウジング（３）内に構造的に組み込まれ、同様に、第２のラインまたは管接合ライン（２０）が前記管（５’、５”）を熱交換領域（６’）の循環容積（８）に接続し、これらの管（５’、５”）とライン（２０）は、ハウジング（３）の壁（３’）と少なくとも部分的に一続きで形成されることを特徴とする、請求項１から１８のいずれか一項に記載のバッテリユニット。
【請求項２０】
管（５’、５”）とライン（２０）の管状壁が、一方では、好ましくは全体形状がほぼ直方体であるハウジング（３）の壁（３’）内および／またはこの壁に部分的に形成され、他方では、一体成形材料（２１）および／または、はめ込まれて振動溶接またはレーザ溶接により組み立てられる壁部分から部分的に形成されることを特徴とする、請求項１９に記載のバッテリユニット。
【請求項２１】
前記または各供給／排出回路（５）は、１つまたは複数の分配管（５’）のための接続端部品（２２）と、１つまたは複数の収集管（５”）のための接続端部品（２２’）とを含み、熱交換領域（６’）の循環容積（８）に対して共通回路（５）または分離回路（５）が有利には設けられることを特徴とする、請求項１９および２０のいずれか一項に記載のバッテリユニット。
【請求項２２】
下部トレイ（１８）が、たとえば前記トレイ（１８）の壁を構成する熱可塑性材料により一体成形されて、トレイ（１８）の本体内に組み込まれる補強構造を含むことを特徴とする、請求項１５から１７のいずれか一項または、請求項１５に結合された請求項１８から２１のいずれか一項に記載のバッテリユニット。
【請求項２３】
トレイ（１８）が、下部トレイ（１８）の熱可塑性の壁との形状結合により外側で協働する補強構造（２３）を含み、この補強構造が、たとえばフレームタイプであって、前記トレイ（１８）に中央および周辺の剛性を特に提供することを特徴とする、請求項１５から１７のいずれか一項または、請求項１５に結合された請求項１８から２１のいずれか一項に記載のバッテリユニット。
【請求項２４】
下部トレイ（１８）が、少なくとも１つの分割内壁（２４）を含み、この分割内壁は、トレイ（１８）の底部から一続きで延在し、補強構造（２３）と有利には協働し、熱伝導流体（ＦＣ）の循環容積（８）を必要に応じて含み、これらの循環容積（８）は、好ましくはトレイ（１８）の循環手段（４）の一部をなし、分配手段（５）に流体接続されることを特徴とする、請求項１５から１７のいずれか一項または、請求項１５に結合された、請求項１８から２１のいずれか一項に記載のバッテリユニット。
【請求項２５】
熱伝導流体の温度、循環および／または分配の制御手段（２５）が、構造的、さらには実質的に、ハウジング（３）に少なくとも部分的に組み込まれることを特徴とする、請求項１から２４のいずれか一項に記載のバッテリユニット。
【請求項２６】
請求項１から２５のいずれか一項に記載の少なくとも１つのバッテリユニット（１）を含み、このバッテリユニット（１）が、さらに、少なくとも１つの内部温度測定手段、セルまたは素子（２）の相互電気接続手段、および外部接続手段を含み、外部接続手段が、ハウジング（３）の壁（３’、１０）と共に、またはこの壁内に有利には部分的に形成されることを特徴とする、特に電気またはハイブリッド自動車。
【発明の詳細な説明】
【技術分野】
【０００１】
本発明は、自立型の電源、特に自動車に搭載された車載電源に関し、温度制御手段または温度調整手段を組み込んだバッテリユニットと、少なくとも１つのこのようなユニットを含むハイブリッドまたは電気自動車とを目的とする。
【０００２】
ハイブリッド／電気自動車は、その動作に必要な電気エネルギーを蓄電可能なバッテリを備える。
【背景技術】
【０００３】
現在の問題点は、「バッテリパック」とも呼ばれるバッテリユニットの設計を最適化して、それにより寿命（充電／放電）と走行連続動作能力との観点から最高の性能を引き出すことが必要な点にある。これらのバッテリパックの日常的な使用では、充電時間が同様に重要なファクタである。
【０００４】
使用されるバッテリでは、特に、たとえばリチウム−イオンまたはリチウム−ポリマータイプの高密度蓄電池を、理想的には温度１０℃〜３０℃で動作させる必要がある。温度が低すぎると連続動作能力に影響し、温度が高すぎるとバッテリの寿命に影響する。したがって、バッテリの温度を最適に調整することが必要である。
【０００５】
車載用途の場合、バッテリを空気により冷却するという解決方法が存在するが、熱交換は依然としてかなり制限される。現在の傾向は、熱伝導流体を用いて熱交換を改善すると共に調整効率を上げることにある。
【０００６】
さらに、これらのバッテリを受容する溝は、車両の一部から直接製造されるか、あるいは、この車両の構造部品に形成された空洞から構成可能である。しかし、上記の解決方法は設置の観点から柔軟性に乏しく、メンテナンスが難しい。このため、自立型で車両構造に組み込まれないバッテリパックという解決方法を優先すべきである。
【０００７】
従来技術には多くの構想が存在する：これらは金属（鋼、アルミニウム等）による解決方法を用いており、組み立てられた冷却プレートがバッテリパックの内部に配置され、バッテリのセルまたは素子をまとめたモジュールがその上に載せられ、この冷却プレートまで熱伝導流体がホースにより分配される。
【０００８】
その結果、多数の部品の組立から形成されるので構成が複雑化し、製造時には多くの密封接続を実施しなければならず（その老化耐性には問題があり得る）、大型のマルチコンポーネント構造を構成する。
【０００９】
しかも、これらの公知の解決方法のバッテリユニットのハウジングは金属（好ましくはアルミニウム）で製造されるので外部に向けてバッテリパックを断熱かつ絶縁不能であり、その上、原価が高く、さらには腐食しやすい。
【００１０】
さらに、これらの公知の解決方法では、ハウジング内部で熱伝導流体が漏れた場合、バッテリを保護するための有効な対策が一つも設けられていない。
【発明の概要】
【発明が解決しようとする課題】
【００１１】
本発明の目的は、上記の主な制限を少なくとも解消することにある。
【課題を解決するための手段】
【００１２】
このため、本発明は、特にハイブリッドおよび／または電気自動車用のバッテリユニットを目的とし、このユニットは主に、一方では、物理的および／または電気的に複数のブロックまたはモジュールに必要に応じてまとめられた複数のセルまたはバッテリ素子を含み、他方では、上記セルまたは素子を収容かつ囲むハウジングを含み、さらに、熱伝導流体の循環による上記セルまたは素子の温度調整手段を含むバッテリユニットにおいて、
ハウジングは、セルが載せられる少なくとも１つの底部領域の位置に上記セルと熱伝導流体との熱交換を行う少なくとも１つ、好ましくは複数の熱交換領域を含み、上記１つまたは複数の熱交換領域が上記ハウジングの構造、好ましくはこのハウジングの壁に組み込まれ、
当該または各熱交換領域が、一方では、セルと、他方では、熱伝導流体と接する高熱伝導率の表面素子を含み、
高熱伝導率の表面素子がハウジング内にはめ込まれる素子であり、この素子が金属プレートまたは同様の剛性かつ良好な熱伝導性材料からなり、低熱伝導率の表面素子と液密に結合され、当該または各熱交換領域の低熱伝導率の表面素子の各々がハウジングの一部をなし、有利にはこのハウジングの壁の一部分を構成することを特徴とする。
【００１３】
本発明は、限定的ではなく例として挙げられ、概略的な添付図面に関して説明された好ましい実施形態に関する以下の説明を読めば、いっそう理解されるであろう。
【図面の簡単な説明】
【００１４】
【図１Ａ】下部トレイとカバーとを組み立てて形成される直方体のハウジングを備えた本発明によるバッテリユニットを１つの角度から見た斜視図である。
【図１Ｂ】下部トレイとカバーとを組み立てて形成される直方体のハウジングを備えた本発明によるバッテリユニットを別の角度から見た斜視図である。
【図２】カバーを外したところを示す、図１Ａと同様の斜視図である。
【図３】図１と図２に示したバッテリユニットの全体的な断面図である。
【図４】図３の一部拡大図である。
【図５】外側に排出される熱伝導流体の漏れがあるときの図４の一部を示す拡大図である。
【図６】本発明のバッテリユニットの別の実施形態によるバッテリユニットを示す概略的な断面図である。
【図７Ａ】セルまたはバッテリ素子を外して下部トレイだけを示した図２と同様の図である。
【図７Ｂ】セルを外して補強フレームをトレイにはめ込んだ、トレイの別の変形実施形態を示す図７Ａと同様の図である。
【図８】図１Ａと図１Ｂに示したバッテリユニットの下部トレイを下から見たところを示す斜視図である。
【図９】低熱伝導率の表面素子を形成する窪んだ底壁部分にほぼ対応する、図８に示した下部トレイの一部を示す細部拡大図である。
【図１０】図９の細部の拡大図である。
【図１１】下部トレイに組み込まれた熱交換領域の熱伝導性または高熱伝導率プレートを外した後を示す、図８と同様の図である。
【図１２Ａ】図１１の細部（伝導性のプレートを外した熱交換領域の補強部を備えた底壁部分）を示す拡大図である。
【図１２Ｂ】図１２Ａに示した部分の上面図である。
【図１３】熱交換領域の高熱伝導率のプレートを下から見たところを示す斜視図である。
【図１４】供給管と排出管内の熱伝導流体の循環を示す図１Ａと同様の図である。
【図１５】供給管と排出管内、管接合ライン内の熱伝導流体の循環を示す図１Ｂと同様の図である。
【図１６】Ｕ字形の基本回路部分を形成する熱交換領域の内部容積における熱伝導流体の循環を示す図１Ｃと同様の図である。
【図１７】供給／排出管、管接合ライン、および熱交換領域における熱伝導流体の循環を示す、図１Ａ、図１Ｂに示したバッテリユニットの（分割壁に対して垂直な）部分横断面図である。
【図１８】バッテリユニットのハウジングの周囲および下部トレイにはめ込むための補強フレームを同様に示す、図１Ａと同様の図である。
【発明を実施するための形態】
【００１５】
図１、図３、図７、図１４、図１５、図１７、図１８は、特にハイブリッドおよび／または電気自動車用のバッテリユニット１を示しており、このユニットは、主に、一方では、物理的および／または電気的に複数のブロックまたはモジュール２’に必要に応じてまとめられた複数のセル２またはバッテリ素子を含み、他方では、上記セルまたは素子２を収容かつ囲むハウジング３を含み、さらに、熱伝導流体ＦＣの循環による上記セルまたは素子２の温度調整手段４、５を含む。
【００１６】
本発明によれば、ハウジング３は、セル２が載せられる少なくとも１つの底部領域６の位置に上記セル２と熱伝導流体ＦＣとの熱交換を行う少なくとも１つ、好ましくは複数の熱交換領域６’を含み、上記１つまたは複数の熱交換領域６’が上記ハウジング３の構造、好ましくはこのハウジングの壁３’に組み込まれている。
【００１７】
同様に本発明によれば、当該または各熱交換領域６’が、一方では、セル２と、他方では熱伝導流体ＦＣと接する高熱伝導率の表面素子７を含む。
【００１８】
さらに、高熱伝導率の表面素子７が、ハウジング３に嵌め込まれる素子であり、低熱伝導率の表面素子９と液密に結合された、金属プレートまたは同様の剛性かつ良好な熱伝導性材料から構成され、当該または各熱交換領域６’の低熱伝導率の表面素子９の各々が、ハウジング３の一部をなし、有利にはこのハウジングの壁部分３’、１０、１１’を構成する。
【００１９】
そのため、ハウジング３の同じ構造内に温度調整手段４、５の少なくとも一部（ここでは少なくとも熱交換領域６’）が組み込まれるので小型構造が得られ（最大の内部容積、最小の外部容積）、部品数および組立部分の数が制限される（ハウジング３の構成部分１０、１１だけを互いに結合することが必要であり、１つまたは複数の熱交換領域６’はハウジング３の上記部分に組み込まれる）。
【００２０】
好ましくは、表面素子７は、単一モジュール２’のセル２に組み合わされる（熱交換領域６’およびモジュール２’のモジュラー配置と一致かつ対応する）。
【００２１】
そのため、熱交換領域６’は、セル２の温度調整手段を構成可能であり、該温度調整手段は、ハウジング３の構造自体に組み込まれるだけではなく組織化され、こうした組織化に応じた分割や、必要に応じてセル２を（モジュール２’として）まとめたものに応じた分割が同様に可能であり、熱伝達効率が最適化される。
【００２２】
特に図４〜図１３および図１７による本発明の有利な構成上の特徴によれば、当該または各熱交換領域６’が、セル２と直接接触する高熱伝導率の表面素子７と、外部環境と接する低熱伝導率の表面素子９との間に画定される、熱伝導流体ＦＣの循環容積８を含む。
【００２３】
そのため、容積８の熱伝導流体ＦＣとの熱交換は、表面素子７の位置で非常に促進され、その反対に、係合する表面素子９の位置では最大限減らされる。
【００２４】
高熱伝導率、より一般的には熱伝導流体ＦＣとセル２との間の良好な熱伝達は、熱伝導性が本質的に良好（金属プレート）で比較的薄肉で使用される材料を、表面素子７とセル２との間、必要に応じて該当するモジュール２’との間の最大接触面積と最適接触品質とに関係づけて用いることにより実現される。
【００２５】
低熱伝導率は、熱伝導性が低く、さらには断熱材である材料を、表面素子９の壁の比較的肉厚の厚さと組み合わせて用いることにより実現可能である。
【００２６】
一般に、本説明において高熱伝導率λとは、λの値がλ＞５０Ｗ．ｍ−１．Ｋ−１、好ましくはλ＞１００Ｗ．ｍ−１．Ｋ−１であり、低熱伝導率λとは、λの値がλ＜１Ｗ．ｍ−１．Ｋ−１、好ましくはλ＜０，５Ｗ．ｍ−１．Ｋ−１を意味する。
【００２７】
有利には、良好な熱伝導率の材料の伝導率が１００Ｗ／ｍ／Ｋ〜３００Ｗ／ｍ／Ｋであり、一般にはアルミニウムと同様の２００Ｗ／ｍ／Ｋである。対応して、低熱伝導率の材料の伝導率は０．０５Ｗ／ｍ／Ｋ〜０．５Ｗ／ｍ／Ｋであり、一般にはＰＰ  ＧＦ３０タイプのプラスチックと同様の０．２Ｗ／ｍ／Ｋである。
【００２８】
本発明の範囲では、素子７（高熱伝導率の素子、たとえば薄肉の金属材料からなるプレート）と素子９（低熱伝導率の素子、たとえば厚肉のプラスチック材料からなる壁）の熱伝導率の差が大きくなればなるほど、本発明にとって有利な効果が上がる。
【００２９】
前述のように、表面素子７の材料は、好ましくはアルミニウムであるが、非金属とすることも同様に可能であり、たとえば熱伝導率を高めるために添加剤を加えた熱可塑性または耐熱性材料から構成可能である。
【００３０】
変形実施形態では、表面素子７は、また、良好な熱伝導体である一方でモジュール２’の平面性欠陥に合わせてこれを補正するために柔軟性または可撓性にすることができる（素子７をたとえばシリコーンから構成し、好ましくは添加剤を加える）。
【００３１】
熱伝導性の当該または各プレート７は、セル２（必要に応じて単にセルに割り当てられたモジュール２’）との最適な熱交換に加えて、表面素子９と関係づけて熱伝導流体ＦＣの基本循環容積８を密封式に画定し、温度変動によりもたらされる変形に抗し、セル２との最適な表面接触を常に保つようにしなければならない。したがって、ハウジング３および対になった表面素子９とのその結合および組立は、有利には周辺で行われると同時に、少なくとも局部的にその表面に配分される。
【００３２】
ハウジング３は、単一の熱交換領域６’（下部トレイ１８内のみ）あるいは、その各構成部分内の熱交換領域６’（たとえば下部トレイ１８内の領域６’およびカバー１９内の領域６’−図６）だけを含むことができる。
【００３３】
しかし、好ましくは、ハウジング３は、その構成部分（トレイ１８、カバー１９）の１つ、複数、または各々に複数の熱交換領域６’を含み、各領域６’が有利には１つのモジュール２’に割り当てられる（図３、４、８、９、１１、１６参照）。
【００３４】
そのため、表面素子７、９は協働してハウジング３の二重壁構造の壁３’の領域を構成し、これらの二重壁の領域が熱交換領域６’に対応し、組み込まれた熱伝導流体ＦＣの循環容積８を含む。
【００３５】
図４〜図６、図９、図１０、図１２および図１３による本発明の重要な特徴によれば、当該または各循環容積８が、考慮された２つの素子７と９の間に配置される密封手段１１により横方向または周方向に画定され、該当する表面素子９の周囲に漏れ経路１２が設けられ、対象とされる容積８から場合によっては漏れる全ての熱伝導流体ＦＣを外側に排出可能である。
【００３６】
このような実施形態によって、損傷または偶発的な破損または老化に起因する場合、熱伝導流体ＦＣとセル２とが全く接触しないようにしながら、密封循環容積８を簡単に形成することができる。様々な熱交換領域６’に組み合わされる様々な漏れ経路１２が、必要に応じて流体力学的に相互接続され、熱伝導流体の流れが１つの容積８または複数の容積８から底壁１０の個々の場所（低い地点）に配置される１つまたは複数の排出穴へと抜けるようにすることができる。
【００３７】
様々な漏れ経路１２の位置に漏れセンサまたは検知器を配置し、あるいは、様々な漏れ経路１２が収束する場合には単一の漏れ経路（図示せず）を代替的に配置することも検討可能である。
【００３８】
そのため、本発明は、様々な熱交換領域６’の少なくとも幾つかの、あるいは全ての漏れ経路１２が、排出穴１２”を備えたハウジング３の底壁１０の単一領域または単一地点に向かって収束するようにし、必要に応じて、複数の、あるいは全ての漏れ経路１２から出る流れの収束領域または収束地点が熱伝導流体ＦＣの存在検知器を備えるように構成可能である。
【００３９】
しかし、有利には、１つの熱交換領域６’に組み合わされる各漏れ経路１２が他の漏れ経路とは独立しており、外側に排出するこれら固有の排出手段（貫通穴１２”）を含む。
【００４０】
有利には、簡単かつ経済的な構造上の実施形態と関係づけて、当該または各漏れ経路１２がハウジング３の底壁１０に形成され、該当する循環容積８の周辺密封手段１１の周囲に連続して延在し、この循環容積が、好ましくは浅い平面チャンバに対応する。そのため、場合によっては生じる漏れの場所に関係なく、熱伝導流体は上記の漏れ経路１２により回収されて外側（下部トレイ１８の下面）に向かって進む。
【００４１】
好ましい実務的な実施形態によれば、当該または各漏れ経路１２が、底壁１０に形成された溝または凹部１２’を含み、この溝または凹部は、考慮された循環容積８の周辺密封手段１１を中心として外側かつ周方向に延在し、有利には上記密封手段１１の輪郭と係合する。ハウジングの底壁１０を貫通する少なくとも１つ、有利には２つ、好ましくは複数の貫通穴１２”は、上記の溝１２’の底部に設けられる。その結果、バッテリユニット１が水平線に対して傾斜していてもいなくても、該当する容積８から漏れた熱伝導流体ＦＣが外側に速やかに排出される。有利には少なくとも２個の穴１２”を設けることによって、通気機能を保証することができる。
【００４２】
図４〜図６および図１３による構成上の有利な１つの特徴によれば、プレート状の高熱伝導率の表面素子７の各々が、一続きの、または一体成形によりはめ込まれてハウジング３の底壁１０と結合された、周辺フレーム１３を形成する縁を含み、表面素子７に向かい合った底壁１０の部分が、低熱伝導率の表面素子９を構成し、フレーム１３と底壁１０との結合領域１４、たとえば溶接による結合領域が、該当する循環容積８の周辺密封手段１１の周囲に、この手段から離れて延在する。
【００４３】
好ましくは、各熱交換領域（６’）の漏れ経路１２が、結合領域１４と周辺密封手段１１との間に延在する。
【００４４】
そのため、各熱交換領域６’の表面素子７は、連続密封手段１１を超えて周方向に延長され、成形および／または一体成形された縁１３を有し（たとえば折り曲げられており、一体成形材料のリムを備え、このリムが第２の密封バリアを構成し、素子７のはみ出した部分、溝１２’および表面素子９の縁９”と共に外側への漏れ経路１２を画定する（その場合、漏れ経路は、外側に通じる穴１２”と共にダクトの形態を呈する）。穴１２”の直径は、一般に３〜６ｍｍであり、好ましくは約４〜５ｍｍとすることができる。
【００４５】
このようなフレーム１３によって、特に、好ましくはレーザ溶接によって周囲に連続結合部を設けることができる。
【００４６】
例として、密封手段１１は、２個の表面素子７と９に互いに結合される周辺縁の間に圧縮された状態で存在する密封構造１４から構成可能であり、この密封構造１４は、底壁１０の溝１１’に好ましくは収容される。
【００４７】
射出成型による下部トレイ１８の製造と特に関係づけて、各表面素子９は、熱伝導性のプレート状の表面素子７がほぼ載せられる立ち上がり縁９”により横方向に画定された、ハウジング３の底壁１０の窪み領域またはへこみに対応するように構成可能であり、密封手段１１が間に配置されるか、および／またはこの密封手段が圧縮される。
【００４８】
有利には、たとえば図１０〜図１２と図１６〜図１７が示すように、１つまたは複数の様々な熱交換領域６’の循環容積８が、ハウジング３の構造に組み込まれた熱伝導流体ＦＣの１つまたは複数の循環回路４の複数部分を形成し上記回路部分４が、直列に流体接続され、あるいは接続されず、かつ、熱伝導流体流体ＦＣの供給／排出回路５の一部をなす分配／収集管５’、５”に接続され、これらの回路４と５がセル２の温度調整手段を構成する。
【００４９】
特に図１、３、７、１４、１５、１７に示された本発明の構成上の好ましい変形実施形態によれば、ハウジング３はプラスチックで製造され、ハウジングは、底壁１０（および側壁１８”）を備えた下部トレイ１８と上部カバー１９とから構成され、下部トレイ１８とカバー１９は、必要に応じて接触帯３”の位置に密封構造を介在させて好ましくはねじ止めにより周辺で組み立てられる。
【００５０】
剛性のプラスチック材料（添加剤および／またはファイバを添加された、または添加されない熱可塑性材料。たとえばポリプロピレン、ポリアミド、ポリエステルなど）と、周辺で組み立てられる２つの部分１８、１９とからハウジング３を製造することによって、（金属製のハウジングに比べて）断熱性が向上すると同時に原価を下げることができ、多種多様な形状を製造可能になる。
【００５１】
カバー１９とトレイ１８の密封組立領域（必要に応じて各々が一続きまたはモノブロックである）は周辺接触連続帯３”から構成可能であり、この帯は、トレイとカバーの個々の縁を押圧することによって、または必要に応じて、ハウジング３の２つの構成部分１８と１９の係合形状の対向縁の間で材料を溶融させることによって得られる。
【００５２】
ねじ止め、クリップ係止または同等の着脱式の組立が好ましい。なぜなら、テスト操作、メンテナンス操作、およびセル２もしくはモジュール２’の交換操作のためにカバー１９の分解が可能になるからである。
【００５３】
さらに、組立領域３”の位置に接する２つの縁の間に公知の仕方で圧縮パッキンが挿入される。
【００５４】
前述のように、下部トレイ１８は、その底壁１０および必要に応じてこれらの側壁１８’の少なくとも幾つかに形成部または補強部を有し、これらの形成部または補強部は、各々が低熱伝導率の表面素子９を構成し、セル２、たとえばモジュール２’の全てのセル２と接触するプレート状の高熱伝導率の表面素子７とそれぞれ協働して、熱伝導流体ＦＣの循環容積８を各々が備えた熱交換領域６’を形成する。
【００５５】
変形実施形態では、図６が示すように、下部トレイ１８はまた、その底部領域６の位置に単一のプレート７と単一の熱交換領域６’だけを有することができる。
【００５６】
熱交換の境界面と利用可能な加熱／冷却能力とをふやすことによってセルの調整性能を上げるために、カバー１９は、少なくとも幾つかのセル、好ましくは全てのセル２と熱伝導流体ＦＣとの間の熱交換を行う１つまたは複数の熱交換領域６’をその構造内に同様に組み込むように構成可能である。カバー１９の当該または各熱交換領域６’は、熱伝導流体ＦＣの循環容積８を含むことができ、この熱交換領域は、低熱伝導率の表面素子９を構成するカバー１９の壁１９’の形成部または補強部と、セル２、たとえばモジュール２’の全てのセル２に接するプレート状の高熱伝導率の表面素子７との協働によって構成可能である（図３および図６）。そのため、カバー１９の二重壁構造は、トレイ１８のそれと同様のものとすることができる。
【００５７】
特にカバー１９の位置でセル２と熱伝導流体ＦＣとの熱伝達性能を低下させないために、ハウジング３の各部分１８、１９の組立でおそらくできるクリアランスを補正できるように、一方では、可撓性かつ熱伝導性のプレートまたはシート２６が、カバー１９内でトレイ６の底部６’および／またはトレイ１８の側壁１８’内に組み込まれた１つまたは複数の熱交換領域６’の１つまたは複数の高熱伝導率表面素子７と、他方では、向かい合ったモジュール２’のセル２の該当する面との間に配置される。
【００５８】
変形実施形態では、必要に応じて、プレート状の各表面素子７は、たとえば添加剤を加えたシリコーン等の高熱伝導率の材料の個々の層により被覆可能にされている。
【００５９】
図１１と図１６が示すように、各熱交換領域６’は、Ｕ字形または蛇行した形状の回路部分を形成する熱伝導流体ＦＣの循環容積８を含み、その２個の分枝の２つの自由端が、熱伝導流体ＦＣの供給／排出回路５の一部をなす分配／収集管５、５”に流体接続される。
【００６０】
Ｕ字形または蛇行した形状の循環容積８（図示せず）は、流体力学的に：
−回路５に個々に直列かつ集合的に接続され（図示せず）、あるいは
−この回路５に個々にかつ並列に接続される（図８〜図１１および図１７）。
【００６１】
好ましくは、図４〜図６、図１１〜図１３に例として示したように、プレート状の高熱伝導率表面素子７の各々が、ハウジング３の壁３’と、一方では、周辺で好ましくは連続して、たとえば機械的連結または溶接により結合され、他方では、上記プレート７の表面の内部に配置された少なくとも１つの結合領域１５の位置、有利には、上記プレート７の表面に好ましくは規則正しく配分された複数の結合領域１５の位置で結合される。
【００６２】
そのため、周辺での固定に加えて、当該または各プレート７は分散された複数の地点または領域１５に同様に剛性結合される。その結果、熱の影響下、また同様にセル２の重量の影響下での１つまたは複数のプレート７のあらゆる変形が回避される分配固定が得られ（トレイ１８のプレート７に対して、結合領域１５が支点を同様に形成し、応力が配分される）、プレート７とセル２の間で経時的に最適な表面接触を保証することができる。
【００６３】
特に図４、図５による有利な実際の実施形態によれば、プレート状の高熱伝導率表面素子７の各々が、少なくとも１つの結合領域１５の位置で、好ましくは規則正しく配分された複数の結合領域１５の位置で、低熱伝導率の表面素子９を構成するハウジング３の壁部分３’に結合される。各結合領域１５は、金属プレートの形態を呈する表面素子７を壁部分３’に向かって突出する局部的な変形部１６からなり、上記変形部１６は、たとえばレーザ溶接結合のために上記壁部分３’の材料と相容れる材料１６’により一体成形される。
【００６４】
金属コア１６を有するプラスチック材料の局部的な突起形成部１６’の形状を呈するこれらの結合地点１５は、表面素子９を構成する壁部分３’に形成された局部的な補強形成部９’にたとえば当接係合可能であり、同数の局部的な機械結合を実現する。
【００６５】
（一体成形プロセスにより生じる）地点１６’の間に必要に応じて材料帯が存在するにもかかわらず、関係する熱交換領域６’における熱伝導流体ＦＣの循環経路は、２つの表面素子７と９の間で、それらが互いの間に画定する容積８に設けられる。
【００６６】
有利には、長方形である熱交換領域６’の熱伝導流体ＦＣの循環容積８を互いの間に画定する向かい合った２個の表面素子７、９の一方が、上記循環容積８をＵ字形、Ｓ字形または蛇行した形状の循環回路４’の基本部分の２つの分枝に分割するリブ１７を有するように、有利には構成可能である。
【００６７】
この基本循環回路４’の形状は、その製造が簡単で熱交換面積が広く、容易な循環に適した循環行程であることを理由に好ましいが、蛇行、Ｓ字形、Ｚ型、または同等の他の形状も同様に可能である。
【００６８】
図１〜図３、図８〜図１２および図１４〜図１７から同様に明らかになるように、温度調整手段４、５は、熱伝導流体流体ＬＣの１つまたは複数の供給／排出回路を構成する分配管５’／収集管５”を含み、これらの管５’、５”はハウジング３内に構造的に組み込まれ、同様に、第２のラインまたは管接合ライン２０が、熱交換領域６’の循環容積８に管５’、５”を接続し、これらの管５’、５”とライン２０は、ハウジング３の壁３’と少なくとも部分的に一続きで形成される。
【００６９】
そのため、管５’、５”とライン２０の組込みは、トレイ１８とカバー１９の製造時に少なくとも部分的に行われ、管およびホースの面倒な設置や密封接続を回避することができ、外部環境に対するこれらの手段の露出もまた回避される（分配手段が壁３’に接して並置される）。
【００７０】
有利には、管５’、５”とライン２０の管状壁が、一方では、好ましくは全体形状がほぼ直方体であるハウジング３の壁３’内および／またはこの壁に部分的に形成され、他方では、一体成形材料２１および／または、はめ込まれて振動溶接またはレーザ溶接により組み立てられる壁部分から部分的に形成される。
【００７１】
上記管状壁の分布と切断は、トレイ１８の壁１０’、１８”により形成されるそれらの部分と、部分ごとにはめ込まれるかまたは一体成形２１によりはめ込まれるそれらの部分との間で、トレイ１８の成形金型の様々な可能性と、トレイ１８自体、ならびに必要に応じてカバー１９の形状の複雑度とに依存する。
【００７２】
特に図１が示すように、当該または各供給／排出回路５は、１つまたは複数の分配管５’のための接続端部品２２と、１つまたは複数の収集管５”のための接続端部品２２’とを含み、ハウジング３の２つの構成部分を形成する下部トレイ１８とカバー１９とに存在する熱交換領域６’の循環容積８に対して共通回路５または分離回路５が有利には設けられる。
【００７３】
特に、セル２の重量が重くなりうることを考慮して、トレイ１８の機械強度と剛性を高めるために、トレイ１８は、以下を含むように構成可能である：
−上記トレイ１８の壁を構成する熱可塑性材料によりたとえば一体成形されて、トレイ１８の本体に組み込まれる補強構造、および／または
−上記トレイ１８の熱可塑性材料の壁と形状結合により外側で協働し、上記トレイ１８に中央および周辺の剛性を特に提供する、たとえばフレームタイプの補強構造２３（図１８）。
【００７４】
このフレーム２３は、側壁２３’と、中央のセパレータ２３”を含むことができる。
【００７５】
また、トレイ１８の底部１０を構造的に補強すると共に、熱交換領域６’の整備のために付加的な壁面を必要に応じて提供するために、トレイ１８は、少なくとも１つの分割内壁２４をさらに含むことができ、この分割内壁は、トレイ１８の底部から一続きで延在し、補強構造２３と有利には協働し、熱伝導流体ＦＣの循環容積８を必要に応じて組み込み、これらの循環容積８は、好ましくはトレイ１８の循環手段４の一部をなし、分配手段５に流体接続される（図７、８、１１および１７）。
【００７６】
分割壁２４は、トレイ６を２つのサブトレイに分割して補強フレーム２３のセパレータ２３”に対して１つの受け溝を提供する二重壁とすることができる。
【００７７】
さらに、熱伝導流体の温度、循環および／または分配の制御手段２５が、構造的に、さらには実質的にハウジング３に少なくとも部分的に組み込まれる（図７Ｂ参照−ウォーターポンプの部分的な組み込み）。
【００７８】
最後に、本発明はまた、上記のような少なくとも１つのバッテリユニット１を含むことを特徴とする、特に電気またはハイブリッド自動車に関し、このバッテリユニット１は、さらに、少なくとも１つの内部温度測定手段、セルまたは素子２の相互電気接続手段、および外部接続手段を含み、これらの外部接続手段は、ハウジング３の壁３’、１０と共に、またはこの壁内に有利には部分的に形成される。
【００７９】
もちろん、本発明は、記載および添付図面に示された実施形態に制限されるものではない。本発明の保護範囲を逸脱することなく、特に各種素子の構成の観点から、あるいは同等技術の代替によって様々な修正を行うことができる。
【図１Ａ】
2021521620.tif 000003
【図１Ｂ】
2021521620.tif 000004
【図２】
2021521620.tif 000005
【図３】
2021521620.tif 000006
【図４】
2021521620.tif 000007
【図５】
2021521620.tif 000008
【図６】
2021521620.tif 000009
【図７Ａ】
2021521620.tif 000010
【図７Ｂ】
2021521620.tif 000011
【図８】
2021521620.tif 000012
【図９】
2021521620.tif 000013
【図１０】
2021521620.tif 000014
【図１１】
2021521620.tif 000015
【図１２Ａ】
2021521620.tif 000016
【図１２Ｂ】
2021521620.tif 000017
【図１３】
2021521620.tif 000018
【図１４】
2021521620.tif 000019
【図１５】
2021521620.tif 000020
【図１６】
2021521620.tif 000021
【図１７】
2021521620.tif 000022
【図１８】
2021521620.tif 000023
【手続補正書】
【提出日】令和2年2月7日(2020.2.7)
【手続補正１】
【補正対象書類名】特許請求の範囲
【補正対象項目名】全文
【補正方法】変更
【補正の内容】
【特許請求の範囲】
【請求項１】
特にハイブリッドおよび／または電気自動車用のバッテリユニット（１）であって、主に、一方では、物理的および／または電気的に複数のブロックまたはモジュール（２’）に必要に応じてまとめられた複数のセル（２）またはバッテリ素子を含み、他方では、前記セルまたは素子（２）を収容かつ囲むハウジング（３）を含み、さらに、熱伝導流体（ＦＣ）の循環による前記セルまたは素子（２）の温度調整手段（４、５）を含み、
セル（２）が載せられる底部領域（６）の位置に、前記セル（２）と熱伝導流体（ＦＣ）との熱交換を行う少なくとも１つの熱交換領域（６’）を含み、前記１つまたは複数の熱交換領域（６’）が、前記ハウジング（３）の構造、好ましくはこのハウジングの壁（３’）に組み込まれ、
前記または各熱交換領域（６’）が、一方では、セル（２）と接し、他方では、熱伝導流体（ＦＣ）と接する高熱伝導率の表面素子（７）を含み、
高熱伝導率の表面素子（７）が、ハウジング（３）にはめ込まれる素子であり、低熱伝導率の表面素子（９）と液密に結合された、金属プレートまたは同様の剛性かつ良好な熱伝導性の材料から構成され、前記または各熱交換領域（６’）の低熱伝導率の表面素子（９）の各々がハウジング（３）の一部をなし、有利にはこのハウジングの壁の一部分（３’、１０、１１’）を構成するバッテリユニットにおいて、
前記または各熱交換領域（６’）が、セル（２）と直接接する高熱伝導率の表面素子（７）と外部環境と接する低熱伝導率の表面素子（９）との間に画定されてハウジング（３）の底壁（１０）の一部分を構成する、熱伝導流体（ＦＣ）の循環容積（８）を含み、前記または各循環容積（８）が、考慮された２つの素子（７、９）の間に配置される密封手段（１１）により横方向または周方向に画定され、該当する表面素子（９）の周囲に漏れ経路（１２）が設けられ、対象とする容積（８）から場合によっては漏れる全ての熱伝導流体（ＦＣ）を外側に排出可能であることを特徴とする、バッテリユニット（１）。
【請求項２】
前記または各漏れ経路（１２）がハウジング（３）の底壁（１０）に形成され、該当する循環容積（８）の周辺密封手段（１１）の周囲に連続して延在し、この循環容積が、浅い平面チャンバに好ましくは対応することを特徴とする、請求項１に記載のバッテリユニット。
【請求項３】
前記または各漏れ経路（１２）が、底壁（１０）に形成された溝または凹部（１２’）を含み、この溝または凹部が、考慮された循環容積（８）の周辺密封手段（１１）を中心として外側かつ周方向に延在し、有利には前記手段（１１）の輪郭と係合し、ハウジングの底壁（１０）を貫通する少なくとも１つ、好ましくは複数の穴（１２”）が、前記溝（１２’）の底に設けられることを特徴とする、請求項１または２に記載のバッテリユニット。
【請求項４】
プレート状の高熱伝導率の表面素子（７）の各々が、一続きの、または一体成形によりはめ込まれてハウジング（３）の底壁（１０）と結合された、周辺フレーム（１３）を形成する縁を含み、表面素子（７）に向かい合った底壁部分（１０）が、低熱伝導率の表面素子（９）を構成し、フレーム（１３）と底壁（１０）との結合領域（１４）、たとえば溶接による結合領域が、該当する循環容積（８）の周辺密封手段（１１）の周囲に、この手段から離れて延在することを特徴とする、請求項１から３のいずれか一項に記載のバッテリユニット。
【請求項５】
各熱交換領域（６’）の漏れ経路（１２）が、結合領域（１４）と周辺密封手段（１１）との間に延在することを特徴とする、請求項４に記載のバッテリユニット。
【請求項６】
様々な熱交換領域（６’）の少なくとも幾つか、または全ての漏れ経路（１２）が、排出穴（１２”）を備えたハウジング（３）の底壁（１０）の単一領域または単一地点に向けて収束することを特徴とする、請求項１から５のいずれか一項に記載のバッテリユニット。
【請求項７】
複数のまたは全ての漏れ経路（１２）から出る流れの収束領域または収束地点が、熱伝導流体（ＦＣ）の存在検知器を備えることを特徴とする、請求項６に記載のバッテリユニット。
【請求項８】
密封手段（１１）は、２個の表面素子（７、９）に互いに結合される周辺縁の間に圧縮された状態で存在する密封構造（１４）からなり、この密封構造（１４）は、底壁（１０）の溝（１１’）に好ましくは収容されることを特徴とする、請求項１から７のいずれか一項に記載のバッテリユニット。
【請求項９】
表面素子（９）の各々は、熱伝導性のプレート状の表面素子（７）がほぼ載せられる立ち上がり縁（９”）により横方向に画定された、ハウジング（３）の底壁（１０）の窪み領域またはへこみに対応し、密封手段（１１）が間に配置されることを特徴とする、請求項１から８のいずれか一項に記載のバッテリユニット。
【請求項１０】
プレート状の高熱伝導率表面素子（７）の各々が、ハウジング（３）の底壁（１０）と、一方では、周辺で結合領域（１４）の位置で好ましくは連続して、たとえば溶接により結合され、他方では、前記プレート（７）の表面の内部に配置された少なくとも１つの結合領域（１５）の位置で、有利には、前記プレート（７）の表面に好ましくは規則正しく配分された複数の結合領域（１５）の位置で結合されることを特徴とする、請求項１から９のいずれか一項に記載のバッテリユニット。
【請求項１１】
プレート状の高熱伝導率表面素子（７）の各々が、少なくとも１つの結合領域（１５）の位置、好ましくは、規則正しく配分された複数の結合領域（１５）の位置で、低熱伝導率の表面素子（９）を構成するハウジング（３）の底壁部分（１０）と結合され、結合領域（１５）の各々が、金属プレートの形態で表面素子（７）から壁部分（１０）に向かって突出する局部的な変形部（１６）からなり、前記変形部（１６）は、たとえばレーザ溶接結合のために前記底壁部分（１０）の材料と相容れる材料（１６’）により一体成形されることを特徴とする、請求項１から１０のいずれか一項に記載のバッテリユニット。
【請求項１２】
有利には長方形で平面である熱交換領域（６’）の熱伝導流体（ＦＣ）の循環容積（８）を互いの間に画定する向かい合った２個の表面素子（７、９）の一方が、前記循環容積（８）をＵ字形、Ｓ字形または蛇行した形状の循環回路（４’）の基本部分の２つの分枝に分割するリブ（１７）を有することを特徴とする、請求項１から１１のいずれか一項に記載のバッテリユニット。
【請求項１３】
１つまたは複数の様々な熱交換領域（６’）の循環容積（８）が、ハウジング（３）の構造に組み込まれた熱伝導流体（ＦＣ）の１つまたは複数の循環回路（４）の複数部分を形成し、前記回路部分（４）が、直列に流体接続され、あるいは接続されず、かつ、熱伝導流体流体（ＦＣ）の供給／排出回路（５）の一部をなす分配／収集管（５’、５”）に接続され、これらの回路（４、５）がセル（２）の温度調整手段を構成することを特徴とする、請求項１から１２のいずれか一項に記載のバッテリユニット。
【請求項１４】
ハウジング（３）がプラスチック材料で出来ており、このハウジングが、好ましくはねじ止めにより周辺で互いに組み立てられた、底壁（１０）を備えた下部トレイ（１８）と上部カバー（１９）を含み、必要に応じて接触帯（３”）の位置に密封構造が配置されることを特徴とする、請求項１から１３のいずれか一項に記載のバッテリユニット。
【請求項１５】
カバー（１９）が、少なくとも幾つかのセル、好ましくは全てのセル（２）と熱伝導流体（ＦＣ）との熱交換を行う１つまたは複数の熱交換領域（６’）をその構造内に同様に含み、カバー（１９）の前記または各熱交換領域（６’）が熱伝導流体（ＦＣ）の循環容積（８）を含み、この熱交換領域が、低熱伝導率の表面素子（９）を構成するカバー（１９）の壁（１９’）の形成部または補強部と、セル（２）、たとえばモジュール（２’）の全てのセル（２）に接するプレート状の高熱伝導率の表面素子（７）との協働によって構成されることを特徴とする、請求項１４に記載のバッテリユニット。
【請求項１６】
可撓性かつ熱伝導性のプレートまたはシート（２６）が、一方では、カバー（１９）および／またはトレイ（１８）の底部に組み込まれた１つまたは複数の熱交換領域（６’）の１つまたは複数の高熱伝導率表面素子（７）と、他方では、向かい合ったモジュール（２’）のセル（２）の該当する面との間に配置されることを特徴とする、請求項１４または１５に記載のバッテリユニット。
【請求項１７】
各熱交換領域（６’）が、Ｕ字形または蛇行した形状の回路部分を形成する熱伝導流体（ＦＣ）の循環容積（８）を含み、その２個の分枝の２つの自由端が、熱伝導流体（ＦＣ）の供給／排出回路（５）の一部をなす分配／収集ライン（５、５”）に流体接続されることを特徴とする、請求項１から１６のいずれか一項に記載のバッテリユニット。
【請求項１８】
温度調整手段（４、５）が、熱伝導流体流体（ＬＣ）の１つまたは複数の供給／排出回路を構成する分配管（５’）／収集管（５”）を含み、これらの管（５’、５”）は、ハウジング（３）内に構造的に組み込まれ、同様に、第２のラインまたは管接合ライン（２０）が前記管（５’、５”）を熱交換領域（６’）の循環容積（８）に接続し、これらの管（５’、５”）とライン（２０）は、ハウジング（３）の壁（３’）と少なくとも部分的に一続きで形成されることを特徴とする、請求項１から１７のいずれか一項に記載のバッテリユニット。
【請求項１９】
管（５’、５”）とライン（２０）の管状壁が、一方では、好ましくは全体形状がほぼ直方体であるハウジング（３）の壁（３’）内および／またはこの壁に部分的に形成され、他方では、一体成形材料（２１）および／または、はめ込まれて振動溶接またはレーザ溶接により組み立てられる壁部分から部分的に形成されることを特徴とする、請求項１８に記載のバッテリユニット。
【請求項２０】
前記または各供給／排出回路（５）は、１つまたは複数の分配管（５’）のための接続端部品（２２）と、１つまたは複数の収集管（５”）のための接続端部品（２２’）とを含み、熱交換領域（６’）の循環容積（８）に対して共通回路（５）または分離回路（５）が有利には設けられることを特徴とする、請求項１８および１９のいずれか一項に記載のバッテリユニット。
【請求項２１】
下部トレイ（１８）が、たとえば前記トレイ（１８）の壁を構成する熱可塑性材料により一体成形されて、トレイ（１８）の本体内に組み込まれる補強構造を含むことを特徴とする、請求項１４から１６のいずれか一項または、請求項１４に結合された請求項１７から２０のいずれか一項に記載のバッテリユニット。
【請求項２２】
トレイ（１８）が、下部トレイ（１８）の熱可塑性の壁との形状結合により外側で協働する補強構造（２３）を含み、この補強構造が、たとえばフレームタイプであって、前記トレイ（１８）に中央および周辺の剛性を特に提供することを特徴とする、請求項１４から１６のいずれか一項または、請求項１４に結合された請求項１７から２０のいずれか一項に記載のバッテリユニット。
【請求項２３】
下部トレイ（１８）が、少なくとも１つの分割内壁（２４）を含み、この分割内壁は、トレイ（１８）の底部から一続きで延在し、補強構造（２３）と有利には協働し、熱伝導流体（ＦＣ）の循環容積（８）を必要に応じて含み、これらの循環容積（８）は、好ましくはトレイ（１８）の循環手段（４）の一部をなし、分配手段（５）に流体接続されることを特徴とする、請求項１４から１６のいずれか一項または、請求項１４に結合された、請求項１７から２０のいずれか一項に記載のバッテリユニット。
【請求項２４】
熱伝導流体の温度、循環および／または分配の制御手段（２５）が、構造的、さらには実質的に、ハウジング（３）に少なくとも部分的に組み込まれることを特徴とする、請求項１から２３のいずれか一項に記載のバッテリユニット。
【請求項２５】
請求項１から２４のいずれか一項に記載の少なくとも１つのバッテリユニット（１）を含み、このバッテリユニット（１）が、さらに、少なくとも１つの内部温度測定手段、セルまたは素子（２）の相互電気接続手段、および外部接続手段を含み、外部接続手段が、ハウジング（３）の壁（３’、１０）と共に、またはこの壁内に有利には部分的に形成されることを特徴とする、特に電気またはハイブリッド自動車。
【国際調査報告】
2021521620.tif 000024
2021521620.tif 000025
2021521620.tif 000026
2021521620.tif 000027
2021521620.tif 000028